(57)【要約】【課題】より簡素な構成により遊技メダルを遊技機のメダル受け皿へ払い出すことができるメダル貸出装置を提供する。【解決手段】スロープ状の側壁２６と両側に形成された足部２４ｂ，２５ｂと、メダル払出機構４０から払い出される遊技メダルを収容するメダル収容部２９とを有し、足部２４ｂ，２５ｂが前面側に向けられて、メダル払出機構４０の下側に形成されているメダル払出口２２内に、回動可能に設けられたメダル払出皿２３を備え、メダル払出皿２３がメダル払出口２２内に収納され、スロープ状の側壁２６と足部２４ｂ，２５ｂが前面側に向けられた状態で、遊技機１０に伸縮可能に設けられているメダル受け皿１５がメダル払出口２２の前面まで伸ばされると、メダル払出機構から払い出される遊技メダルを、側壁２６と足部２４ｂ，２５ｂとで画成される誘導路Ｇを通してメダル受け皿１５に誘導する。【選択図】図３
2007268071.tif 000002
【特許請求の範囲】
【請求項１】
遊技機に隣接して設けられ、前記遊技機の遊技メダルを貸し出すメダル貸出装置であって、
前記遊技メダルを貯留するメダル貯留部と、
前記メダル貯留部の前記遊技メダルを払い出すメダル払出機構と、
スロープ状の側壁と、該スロープ状の側壁の両側に形成された足部と、前記メダル払出機構から払い出される遊技メダルを収容するメダル収容部とを有し、前記足部が前面側に向けられて、前記メダル払出機構の下側に形成されているメダル払出口内に、回動可能に設けられたメダル払出皿と、
を具備し、
前記メダル払出皿が前記メダル払出口内に収納され、前記スロープ状の側壁とスロープ状の側壁が前面側に向けられた状態で、前記遊技機に伸縮可能に設けられているメダル受け皿が前記メダル払出口の前面まで伸ばされると、前記メダル払出機構から払い出される遊技メダルを、前記スロープ状の側壁と足部とで画成される誘導路を通してメダル受け皿に誘導し、
前記遊技機に設けられている前記メダル受け皿が前記メダル払出口の前面から外れるように短縮化され、前記メダル収容部を前記メダル払出機構に向けるようにして、前記メダル払出皿が回動されると、前記メダル払出機構から払い出される遊技メダルを、前記メダル収容部に収容して前記メダル払出口を介して供給することを特徴とするメダル貸出装置。
【請求項２】
遊技機に隣接して設けられ、前記遊技機の遊技メダルを貸し出すメダル貸出装置であって、
前記遊技メダルを貯留するメダル貯留部と、
前記メダル貯留部の前記遊技メダルを払い出すメダル払出機構と、
スロープ状の側壁と、該スロープ状の側壁の両側に形成された足部と、前記メダル払出機構から払い出される遊技メダルを収容するメダル収容部とを有し、前記足部が前面側に向けられて、前記メダル払出機構の下側に形成されているメダル払出口内に、回動可能に設けられたメダル払出皿と、
を具備し、
前記メダル払出皿が前記メダル払出口内に収納され、前記スロープ状の側壁とスロープ状の側壁が前面側に向けられた状態で、前記遊技機に移動可能に設けられているメダル受け皿が前記メダル払出口の前面まで移動されると、前記メダル払出機構から払い出される遊技メダルを、前記スロープ状の側壁と足部とで画成される誘導路を通してメダル受け皿に誘導し、
前記遊技機に設けられている前記メダル受け皿が前記メダル払出口の前面から外れるように移動され、前記メダル収容部を前記メダル払出機構に向けるようにして、前記メダル払出皿が回動されると、前記メダル払出機構から払い出される遊技メダルを、前記メダル収容部に収容して前記メダル払出口を介して供給することを特徴とするメダル貸出装置。
【発明の詳細な説明】
【技術分野】
【０００１】
本発明は、例えばスロットマシン等の遊技機に隣接して設けられ、遊技メダルを貸し出すメダル貸出装置に関する。
【背景技術】
【０００２】
従来のメダル貸出装置は、遊技者が一連のメダル貸し受け処理を行うと、そのメダル貸出装置に設けられているメダル受け皿に遊技メダルを払い出すものや、特許文献１に記載されているメダル貸出装置のように、ノズル部材（樋状の配管）によって遊技メダルを誘導し、遊技機に設けられているメダル受け皿に遊技メダルを払い出すものが知られている。
【０００３】
【特許文献１】特開２００３−２０５１６３号公報
【発明の開示】
【発明が解決しようとする課題】
【０００４】
ところが、上述のメダル貸出装置自体に設けられているメダル受け皿に遊技メダルを払い出す従来のメダル貸出装置では、遊技者に対して遊技メダルを貸し出すことのみを目的としたものにすぎなかった。
【０００５】
上記特許文献１に記載されているメダル貸出装置では、ノズル部材（樋状の配管）がメダル貸出装置から遊技者側に向けて突出し、途中の部分から遊技機のメダル受け皿に向けて湾曲加工された形状となっている。そのため、遊技者にとってノズル部材が邪魔になったり、ノズル部材に遊技者の体が当たって破損等しやすいという問題があった。
【０００６】
更に、特許文献１に記載されているメダル貸出装置では、ノズル部材の構造及び形状が複雑であるため部品点数が多くなると共に、保守・管理を行わなければならないため、扱いにくいという問題があった。更に、ノズル部材を設けるために、メダル貸出装置の構造や形状等を大幅に変更する必要が生じる等の問題があった。
【０００７】
本発明は、このような従来の問題に鑑みてなされたものであり、より簡素な構成により遊技メダルを遊技機のメダル受け皿へ払い出すことができるメダル貸出装置を提供することを目的とする。
【課題を解決するための手段】
【０００８】
請求項１に記載の発明は、遊技機に隣接して設けられ、前記遊技機の遊技メダルを貸し出すメダル貸出装置であって、前記遊技メダルを貯留するメダル貯留部と、前記メダル貯留部の前記遊技メダルを払い出すメダル払出機構と、スロープ状の側壁と、該スロープ状の側壁の両側に形成された足部と、前記メダル払出機構から払い出される遊技メダルを収容するメダル収容部とを有し、前記足部が前面側に向けられて、前記メダル払出機構の下側に形成されているメダル払出口内に、回動可能に設けられたメダル払出皿と、を具備し、前記メダル払出皿が前記メダル払出口内に収納され、前記スロープ状の側壁とスロープ状の側壁が前面側に向けられた状態で、前記遊技機に伸縮可能に設けられているメダル受け皿が前記メダル払出口の前面まで伸ばされると、前記メダル払出機構から払い出される遊技メダルを、前記スロープ状の側壁と足部とで画成される誘導路を通してメダル受け皿に誘導し、前記遊技機に設けられている前記メダル受け皿が前記メダル払出口の前面から外れるように短縮化され、前記メダル収容部を前記メダル払出機構に向けるようにして、前記メダル払出皿が回動されると、前記メダル払出機構から払い出される遊技メダルを、前記メダル収容部に収容して前記メダル払出口を介して供給することを特徴とする。
【０００９】
請求項２に記載の発明は、遊技機に隣接して設けられ、前記遊技機の遊技メダルを貸し出すメダル貸出装置であって、前記遊技メダルを貯留するメダル貯留部と、前記メダル貯留部の前記遊技メダルを払い出すメダル払出機構と、スロープ状の側壁と、該スロープ状の側壁の両側に形成された足部と、前記メダル払出機構から払い出される遊技メダルを収容するメダル収容部とを有し、前記足部が前面側に向けられて、前記メダル払出機構の下側に形成されているメダル払出口内に、回動可能に設けられたメダル払出皿と、を具備し、前記メダル払出皿が前記メダル払出口内に収納され、前記スロープ状の側壁とスロープ状の側壁が前面側に向けられた状態で、前記遊技機に移動可能に設けられているメダル受け皿が前記メダル払出口の前面まで移動されると、前記メダル払出機構から払い出される遊技メダルを、前記スロープ状の側壁と足部とで画成される誘導路を通してメダル受け皿に誘導し、前記遊技機に設けられている前記メダル受け皿が前記メダル払出口の前面から外れるように移動され、前記メダル収容部を前記メダル払出機構に向けるようにして、前記メダル払出皿が回動されると、前記メダル払出機構から払い出される遊技メダルを、前記メダル収容部に収容して前記メダル払出口を介して供給することを特徴とする。
【発明の効果】
【００１０】
請求項１に記載の発明によると、メダル払出皿がメダル払出口内に収納され、スロープ状の側壁とスロープ状の側壁が前面側に向けられた状態で、遊技機に伸縮可能に設けられているメダル受け皿がメダル払出口の前面まで伸ばされると、メダル払出機構から払い出される遊技メダルを、スロープ状の側壁と足部とで画成される誘導路を通してメダル受け皿に誘導する。このため、メダル払出機構から払い出される遊技メダルを、遊技機に設けられているメダル受け皿に供給することができる。
【００１１】
一方、遊技機に設けられているメダル受け皿がメダル払出口の前面から外れるように短縮化され、メダル収容部をメダル払出機構に向けるようにして、メダル払出皿が回動されると、メダル払出機構から払い出される遊技メダルを、メダル収容部に収容してメダル払出口を介して供給する。このため、メダル払出装置に設けられている受け皿に遊技メダルを払い出す、通常の形態でのメダル貸し出しを行うことができる。
【００１２】
このように、メダル受け皿に遊技メダルを供給する形態と、メダル払出装置に設けられている受け皿に遊技メダルを払い出す形態とを、遊技者等が選択することができる。
【００１３】
また、メダル払出皿の構造が簡素であることから、部品点数の低減化を図ることができ、また、遊技者の邪魔にならず、保守・管理の必要性が無く、破損等の未然防止を図ることができる。
【００１４】
請求項２に記載の発明によると、メダル払出皿がメダル払出口内に収納され、スロープ状の側壁とスロープ状の側壁が前面側に向けられた状態で、遊技機に移動可能に設けられているメダル受け皿がメダル払出口の前面まで移動されると、メダル払出機構から払い出される遊技メダルを、スロープ状の側壁と足部とで画成される誘導路を通してメダル受け皿に誘導する。このため、メダル払出機構から払い出される遊技メダルを、遊技機に設けられているメダル受け皿に供給することができる。
【００１５】
一方、遊技機に設けられているメダル受け皿がメダル払出口の前面から外れるように移動され、メダル収容部をメダル払出機構に向けるようにして、メダル払出皿が回動されると、メダル払出機構から払い出される遊技メダルを、メダル収容部に収容してメダル払出口を介して供給する。このため、メダル払出装置に設けられている受け皿に遊技メダルを払い出す、通常の形態でのメダル貸し出しを行うことができる。
【００１６】
このように、メダル受け皿に遊技メダルを供給する形態と、メダル払出装置に設けられている受け皿に遊技メダルを払い出す形態とを、遊技者等が選択することができる。
【００１７】
また、メダル払出皿の構造が簡素であることから、部品点数の低減化を図ることができ、また、遊技者の邪魔にならず、保守・管理の必要性が無く、破損等の未然防止を図ることができる。
【発明を実施するための最良の形態】
【００１８】
本発明の実施の形態に係るメダル貸出装置について、図面を参照して説明する。
【００１９】
図１は、本実施形態のメダル貸出装置と遊技機であるスロットマシンの構成を表した正面図である。
【００２０】
まず、スロットマシン１０の構成を概説すると、遊技者から見て正面に当たるフロントドア（符号省略）には、上側パネル部１１と中間パネル部１２と操作部１３と下側パネル部１４が形成されている。
【００２１】
上側パネル部１１には、演出用の発光ダイオードや遊技の進行内容等を表示する液晶ディスプレイ等が設けられている。中間パネル部１２には、フロントドアの裏面側（スロットマシン１０の筐体内）に設けられている回胴リールＲ１，Ｒ２，Ｒ３を視認可能とする透明窓Ｗ等が形成されている。操作部１３には、１枚のメダルを賭けるためのベットボタン１３ａ、３枚の遊技メダルを賭けるためのマックスベットボタン１３ｂ、遊技メダルを投入するためのメダル投入口１３ｃ、１ゲームの開始を指定し回胴リールＲ１，Ｒ２，Ｒ３の回転を開始させるスタートレバーＳＴ、回胴リールＲ１，Ｒ２，Ｒ３を個別に停止させるためのストップボタンＳＰ１，ＳＰ２，ＳＰ３等が設けられている。
【００２２】
下側パネル部１４には、演出用の絵柄等が描かれたパネルが嵌め込まれ、更に、最下方の位置に、メダル受け皿１５が設けられている。
【００２３】
そして、遊技者が所望の枚数の遊技メダルを賭けて、スタートレバーＳＴによって回胴リールＲ１，Ｒ２，Ｒ３を回転させた後、ストップボタンＳＰ１，ＳＰ２，ＳＰ３によって回胴リールＲ１，Ｒ２，Ｒ３を停止させた際、それらの回胴リールＲ１，Ｒ２，Ｒ３に描かれている絵柄が所定の組み合わせで揃うと入賞となり、入賞の内容に応じた所定枚数の遊技用メダルが、メダル排出口１６からメダル受け皿１５へ出力されるようになっている。
【００２４】
更に、本実施形態におけるスロットマシン１０のメダル受け皿１５は、遊技者が手動で横方向の全長を伸縮させることが可能な構造となっており、図１に示すようにスロットマシン１０の横幅とメダル貸出装置２０の横幅とを含む最大長まで伸ばしたり、スロットマシン１０の横幅に合わせた最小の長さに短縮することができるようになっている。
【００２５】
つまり、メダル受け皿１５は、下側パネル部１４の下方に固定して設けられた長尺状の第１受け皿部１５ａと、第１受け皿部１５ａに対し横方向から摺動自在に嵌合された第２受け皿部１５ｂとを有して構成され、第１受け皿部１５ａと第２受け皿部１５ｂとの間で遊技メダルが自在に移動できるように、第１受け皿部１５ａと第２受け皿部１５ｂとの連結部分が連通している。
【００２６】
そして、遊技者が第２受け皿部１５ｂを右方向へ移動させると、図１に示すようにメダル受け皿１５の全長を伸ばすことができ、また、図１の状態から第２受け皿部１５ｂを左方向へ移動させると、メダル受け皿１５の全長さを短くすることができるようになっている。
【００２７】
次に、本実施形態のメダル貸出装置２０の構成について説明する。
【００２８】
このメダル貸出装置２０は、スロットマシン２０に隣接して敷設され、横幅が比較的小さい直方体形状の外観構造を有している。つまり、遊技ホールに多数配置される各スロットマシン間にメダル貸出装置２０が敷設されるようになっている。
【００２９】
そして、メダル貸出装置２０の筐体内には、遊技ホール内に敷設されているメダル配送システムを介して自動的に補充される多数の遊技メダルを貯留しておく後述のメダル貯留部３０と、遊技者の一連のメダル貸し受け処理に従って、メダル貯留部３０内の遊技メダルを計数して払い出すメダル払出機構４０等が内蔵されている。
【００３０】
メダル貸出装置２０の筐体の前面パネル部２１には、図１に示すように、上述の第２受け皿部１５ｂが右方向に伸長された場合に、その第２受け皿部１５ｂに対向することとなるメダル払出口２２が形成されており、更にメダル払出口２２内には、カップ形状のメダル収納部材（以下「メダル払出皿」と称する）２３が、遊技者から見て前後方向に回動可能に取り付けられている。
【００３１】
図２はメダル払出皿２３の形状を表した斜視図である。図２に示すように、メダル払出皿２３は、例えば硬質プラスチック等で形成されており、側壁２４，２５，２６，２７及び底壁２８と、それらの側壁２４，２５，２６，２７と底壁２８により画成され遊技メダルを収容する凹形状のメダル収容部２９とを有して形成されている。
【００３２】
更に、側壁２４，２５には支持孔２４ａ，２５ａが対向して形成されており、上述のメダル払出口２２内において、メダル貸出装置２０の筐体内壁に設けられている支軸２２ａ，２２ｂが支持孔２４ａ，２５ａ内に嵌合されている。これにより、メダル払出皿２３が支軸２２ａ，２２ｂを支点として、前後方向に回動可能となっている。
【００３３】
更に、側壁２４，２５には、遊技メダルを収容するためのメダル収容部２９が上方に向けられた場合に、スロットマシン１０とメダル貸出装置２０とを載置している載置台の載置面に当接してメダル払出皿２３を安定化させる、板状の足部２４ｂ，２５ｂが一体形成されている。
【００３４】
更に、上述の側壁２６は、底壁２８からメダル収容部２９の開口に向けて傾斜して形成されている。このため、メダル収容部２９に対するほぼ裏面側には、側壁２６と板状の足部２４ｂ，２５ｂとにより画成されたスロープ状の誘導路Ｇが形成されている。なお、この誘導路Ｇの機能については、後述することとする。
【００３５】
次に、本実施形態のメダル貸出装置２０の作用について、図３乃至図６を参照して説明する。図３と図４は、メダル貸出装置２０に設けられているメダル払出皿２３をメダル払出口２２内に収納した場合の斜視図と縦断面図、図５と図６は、メダル貸出装置２０に設けられているメダル払出皿２３をメダル払出口２２から前面側へ回動させた場合の斜視図と縦断面図である。
【００３６】
図３に示すように、遊技者がスロットマシン１０の第２受け皿部１５ｂを伸長させ、メダル受け皿１５の全長を伸ばすと、メダル貸出装置２０のメダル払出口２２が部分的に塞がれることとなり、メダル払出皿２３を前面側へ回動させることができなくなる。そして、メダル払出皿２３のスロープ状の側壁２６が第２受け皿部１５ｂの開口側に位置合わせされ、更に、側壁２６と両側の足部２４ｂ，２５ｂによって画成される誘導路Ｇが、第２受け皿部１５ｂの開口側に連設された状態となる。更に、図４に示すように、メダル貯留部３０内の遊技メダルを計数して払い出すメダル払出機構４０の下側に、誘導路Ｇが位置することとなる。
【００３７】
こうして、遊技者が、メダル払出皿２３をメダル貸出装置２０のメダル払出口２２内に収納した状態でメダル受け皿１５の全長を伸ばすと、メダル貸出装置２０内のメダル払出機構４０から払い出される遊技メダルが、誘導路Ｇを通ってメダル受け皿１５へ供給される。
【００３８】
ここで、誘導路Ｇは、上述したように、スロープ状の側壁２６とその両側に形成されている足部２４ｂ，２５ｂにより画成されているため、メダル払出機構４０から払い出される遊技メダルは、側壁２６に沿ってメダル受け皿１５側へ誘導され、更に足部２４ｂ，２５ｂによって横方向への移動が規制される。このことから、メダル払出機構４０から払い出される遊技メダルは確実にメダル受け皿１５内に供給され、メダル受け皿１５の外へ飛び出す等の問題を未然に防止することができる。
【００３９】
次に、図５に示すように、遊技者がスロットマシン１０の第２受け皿部１５ｂを第１受け皿部１５ａ側に移動させてメダル受け皿１５の全長を短くすると、メダル貸出装置２０のメダル払出口２２が開放され、メダル払出皿２３を前面側へ回動させることが可能となる。
【００４０】
遊技者がメダル払出皿２３を前面側へ回動させると、メダル払出皿２３の足部２４ｂ，２５ｂが載置台の載置面に当接し、メダル収容部２９の前面側の部分が第２受け皿部１５ｂに隣接し、更に、図６に示すように、メダル収容部２９のメダル払出口２２内の部分が、メダル払出機構４０の下側に位置することとなる。
【００４１】
こうして、遊技者がメダル受け皿１５の全長を短縮し、メダル払出皿２３をメダル貸出装置２０のメダル払出口２２の前面側に回動させると、メダル貸出装置２０内のメダル払出機構４０から払い出される遊技メダルがメダル払出皿２３のメダル収容部２９内に収容され、遊技者がその収容された遊技メダルをメダル払出皿２３から取り出すことができる。
【００４２】
また、遊技者がメダル払出皿２３から遊技メダルを取り出して、隣のメダル受け皿１５へ簡単に移すことができる。
【００４３】
また、本実施形態のメダル貸出装置２０は、隣接されているスロットマシン（遊技機）に設けられているメダル受け皿１５への遊技メダルの貸し出し処理を行うだけでなく、例えばメダル受け皿に限らず適宜の容器等にメダル貸し出し等を行うことができるものである。
【００４４】
以上に説明したように、本実施形態のメダル貸出装置２０によれば、メダル払出口２２内で回動可能なメダル払出皿２３が設けられているため、遊技者がメダル払出皿２３をメダル払出口２２内に収容した状態でスロットマシン１０のメダル受け皿１５の全長を伸ばすだけで、側壁２６と足部２４ｂ，２５ｂによって画成される誘導路Ｇにより、メダル払出機構４０から払い出される遊技メダルをメダル受け皿１５へ誘導することができる。
【００４５】
また、遊技者がスロットマシン１０のメダル受け皿１５の全長を短くした状態で、メダル払出皿２３を前面側へ回動させると、メダル払出機構４０から払い出される遊技メダルをメダル収容部２９に収容することができる。
【００４６】
したがって、遊技者は、メダル貸出装置２０から貸し出される遊技メダルをスロットマシン１０のメダル受け皿１５に自動的に収容したい場合には、メダル払出皿２３をメダル払出口２２内に収納した状態でスロットマシン１０のメダル受け皿１５の全長を伸ばすだけで、その目的を達成することができ、一方、従来と同様にメダル貸出装置２０に設けられている受け皿に遊技メダルを収容しようと欲する場合には、スロットマシン１０のメダル受け皿１５の全長を短くして、メダル払出皿２３を前面側へ回動させることで、その目的を達成することができる。
【００４７】
また、メダル払出皿２３は、メダル払出口２２内に回動可能に設けられた簡素な構造であるため、従来技術のようなノズル部材を設ける場合と較べて、部品点数を低減することができ、また、保守・管理の必要性はほとんど無く、また、遊技者の邪魔にならず、また、破損等を未然に防止することができ、また、メダル貸出装置２０の構造や形状を大幅に改変する必要がない。
【００４８】
なお、以上に説明した実施形態では、スロットマシン１０のメダル受け皿１５を、第１メダル受け皿部１５ａと第２メダル受け皿部１５ｂで構成し、固定されている第１メダル受け皿部１５ａに対して第２メダル受け皿部１５ｂを移動させることで、メダル受け皿１５の全長を伸縮させる構成とした。
【００４９】
しかし、メダル受け皿１５を伸縮させる構成に限らず、変形例として例えば、メダル受け皿１５全体を、スロットマシン１０の下側パネル部１４の下側部分に、ガイドレール等によって進退移動可能に取り付け、払い出される遊技メダルをメダル払出皿２３に収容する場合には、図７に示すように、メダル受け皿１５全体を左側へ移動させ、また、払い出される遊技メダルをスロットマシン１０のメダル払出皿２３にて収容する場合には、図８に示すように、メダル受け皿１５全体を右側へ移動させる構成としてもよい。
【図面の簡単な説明】
【００５０】
【図１】実施形態に係るメダル貸出装置の構成を表した正面図である。
【図２】メダル払出皿の構成を表した斜視図である。
【図３】図１に示したメダル貸出装置の作用を説明するための斜視図である。
【図４】更に図１に示したメダル貸出装置の作用を説明するための縦断面図である。
【図５】更に図１に示したメダル貸出装置の作用を説明するための斜視図である。
【図６】更に図１に示したメダル貸出装置の作用を説明するための縦断面図である。
【図７】図１に示したメダル貸出装置が適用されるスロットマシンの変形列の構成を表した正面図である。
【図８】更に図１に示したメダル貸出装置が適用されるスロットマシンの変形列の構成を表した正面図である。
【符号の説明】
【００５１】
２０…メダル貸出装置
２２…メダル払出口
２３…メダル払出皿
２４ｂ，２５ｂ…足部
２６…スロープ状の側壁
２９…メダル収容部
Ｇ…誘導路
１０…スロットマシン
１５…メダル受け皿
１５ａ…第１メダル受け皿
１５ｂ…第２メダル受け皿
【図１】
2007268071.tif 000003
【図２】
2007268071.tif 000004
【図３】
2007268071.tif 000005
【図４】
2007268071.tif 000006
【図５】
2007268071.tif 000007
【図６】
2007268071.tif 000008
【図７】
2007268071.tif 000009
【図８】
2007268071.tif 000010